(57)【要約】【課題】識別情報の状態を容易に確認させる。【解決手段】紙葉類処理装置は、それぞれ異なる箇所に位置する複数の領域（BR1,BR2）に識別情報が印字された紙葉類を処理する。搬送部は、紙葉類を搬送する。撮像部は、搬送部により搬送される紙葉類を撮像して紙葉類の画像を取得する。制御部は、撮像部により取得された紙葉類の画像から紙葉類の複数の領域（BR1,BR2）をそれぞれ含む複数の領域画像（P101,P102）を抽出し、複数の領域画像（P101,P102）が並んで配置された確認画像（P10）を生成する。出力部は、制御部により生成された確認画像（P10）を出力する。【選択図】図６
2019204381.tif 000002
【特許請求の範囲】
【請求項１】
それぞれ異なる位置にある複数の領域に識別情報が印字された紙葉類を処理する紙葉類処理装置であって、
前記紙葉類を搬送する搬送部と、
前記搬送部により搬送される紙葉類を撮像して該紙葉類の画像を取得する撮像部と、
前記撮像部により取得された紙葉類の画像から該紙葉類の前記複数の領域をそれぞれ含む複数の領域画像を抽出し、該複数の領域画像が並んで配置された確認画像を生成する制御部と、
前記制御部により生成された確認画像を出力する出力部とを備えている
ことを特徴とする紙葉類処理装置。
【請求項２】
請求項１において、
前記制御部は、前記撮像部により取得された紙葉類の画像または該画像から抽出された前記複数の領域画像に対して、該複数の領域画像にそれぞれ含まれる複数の識別情報の目視による比較を容易にするための画像処理を行う
ことを特徴とする紙葉類処理装置。
【請求項３】
請求項１または２において、
前記搬送部により搬送される紙葉類の複数の領域にそれぞれ印字された複数の識別情報を照合する照合部を備え、
前記出力部は、前記照合部による前記複数の識別情報の照合結果を出力する
ことを特徴とする紙葉類処理装置。
【請求項４】
請求項１〜３のいずれか１項において、
操作者による操作が与えられる操作部を備え、
前記制御部は、前記複数の領域画像にそれぞれ含まれる複数の識別情報が一致するか否かの確認が行われたことを示す操作が前記操作部に与えられると、前記出力部による前記確認画像の出力の終了を許可する
ことを特徴とする紙葉類処理装置。
【請求項５】
請求項１〜４のいずれか１項において、
前記制御部は、前記紙葉類処理装置における前記紙葉類の処理の結果を示す処理リストを出力し、
前記処理リストには、前記紙葉類に関する情報と前記複数の領域画像とが対応付けられて登録されている
ことを特徴とする紙葉類処理装置。
【請求項６】
請求項１〜５のいずれか１項において、
前記出力部は、前記確認画像を表示する表示部である
ことを特徴とする紙葉類処理装置。
【請求項７】
請求項１〜５のいずれか１項において、
前記出力部は、前記確認画像を印刷媒体に印刷するプリンタである
ことを特徴とする紙葉類処理装置。
【請求項８】
それぞれ異なる位置にある複数の領域に識別情報が印字された紙葉類を処理する紙葉類処理システムであって、
前記紙葉類を搬送する搬送部と、該搬送部により搬送される紙葉類を撮像して該紙葉類の画像を取得する撮像部とを有する紙葉類処理装置と、
前記撮像部により取得された紙葉類の画像から該紙葉類の前記複数の領域をそれぞれ含む複数の領域画像を抽出し、該複数の領域画像が並んで配置された確認画像を生成する制御部と、
前記制御部により生成された確認画像を出力する出力部とを備えている
ことを特徴とする紙葉類処理システム。
【発明の詳細な説明】
【技術分野】
【０００１】
ここに開示する技術は、紙葉類処理技術に関する。
【背景技術】
【０００２】
従来、紙幣や有価媒体などの紙葉類を処理する紙葉類処理装置が知られている。また、このような紙葉類処理装置において処理される紙葉類には、固有の識別情報（例えば記番号）が複数の領域に印字されており、紙葉類の複数の領域にそれぞれ印字された複数の識別情報が一致するか否かを判定することが知られている。例えば、特許文献１には、１枚毎に固有の文字列が複数の文字領域に記録された紙葉をセンスし、そのセンスにより得られた画像データに基づいて紙葉の鑑別を行う紙葉識別装置が開示されている。この紙葉識別装置は、紙葉の複数の文字領域を画像として読み取る文字センサと、文字センサによって得られた画像データに基づいて複数の文字領域に記録された文字列を認識する文字認識部と、文字認識部によって認識された複数の文字領域に記録された文字列の相互の整合性を判定する文字判定部とを備えている。
【先行技術文献】
【特許文献】
【０００３】
【特許文献１】特開平１１−１７５７９７号公報
【発明の概要】
【発明が解決しようとする課題】
【０００４】
しかしながら、特許文献１の装置では、識別情報の不一致により紙葉類が異常であると判定されたとしても、識別情報がどのような状態で不一致であると判定されたのかを確認することができない。なお、識別情報の状態を確認させるために、紙葉類の画像を表示部に表示させることが考えられるが、紙葉類の離れた位置に小さく印字された識別情報を目視で比較することは困難である。
【０００５】
そこで、ここに開示する技術は、識別情報の状態を容易に確認させることが可能な紙葉類処理技術を提供することを目的とする。
【課題を解決するための手段】
【０００６】
ここに開示する技術は、それぞれ異なる位置にある複数の領域に識別情報が印字された紙葉類を処理する紙葉類処理装置に関し、この紙葉類処理装置は、前記紙葉類を搬送する搬送部と、前記搬送部により搬送される紙葉類を撮像して該紙葉類の画像を取得する撮像部と、前記撮像部により取得された紙葉類の画像から該紙葉類の前記複数の領域をそれぞれ含む複数の領域画像を抽出し、該複数の領域画像が並んで配置された確認画像を生成する制御部と、前記制御部により生成された確認画像を出力する出力部とを備えている。
【０００７】
前記の構成では、紙葉類の複数の領域（識別情報が印字されている領域）をそれぞれ含む複数の領域画像が並んで配置された確認画像を出力することにより、紙葉類の複数の領域にそれぞれ印字されている複数の識別情報を目視で容易に比較させることができる。これにより、識別情報の状態を容易に確認させることができる。
【０００８】
なお、前記制御部は、前記撮像部により取得された紙葉類の画像に対して、前記複数の領域画像にそれぞれ含まれる複数の識別情報の目視による比較を容易にするための画像処理を行うように構成されていてもよい。
【０００９】
前記の構成では、紙葉類の画像に対して、複数の領域画像にそれぞれ含まれる複数の識別情報の目視による比較を容易にするための画像処理を行うことにより、紙葉類の複数の領域にそれぞれ印字された複数の識別情報の比較（目視による比較）を容易にすることができる。これにより、識別情報の状態をさらに容易に確認させることができる。
【００１０】
また、前記紙葉類処理装置は、前記搬送部により搬送される紙葉類の複数の領域にそれぞれ印字された複数の識別情報を照合する照合部を備えていてもよい。前記出力部は、前記照合部による前記複数の識別情報の照合結果を出力するように構成されていてもよい。
【００１１】
前記の構成では、照合部による前記複数の識別情報の照合結果を出力することにより、紙葉類の複数の領域にそれぞれ印字された複数の識別情報が一致しているか否かを容易に確認させることができる。
【００１２】
また、前記紙葉類処理装置は、操作者による操作が与えられる操作部を備えていてもよい。前記制御部は、前記複数の領域画像にそれぞれ含まれる複数の識別情報が一致するか否かの確認が行われたことを示す操作が前記操作部に与えられた場合に、前記出力部による確認画像の出力の終了を許可するように構成されていてもよい。
【００１３】
前記の構成では、複数の領域画像にそれぞれ含まれる複数の識別情報が一致するか否かの確認が行われたことを条件として、出力部による確認画像の出力の終了させることができる。これにより、複数の領域画像にそれぞれ含まれる複数の識別情報が一致するか否かの確認を実施し忘れることを防止することができる。
【００１４】
また、前記制御部は、前記紙葉類処理装置における前記紙葉類の処理の結果を示す処理リストを出力するように構成されていてもよい。前記処理リストには、前記紙葉類に関する情報と前記複数の領域画像とが対応付けられて登録されていてもよい。
【００１５】
前記の構成では、紙葉類に関する情報と複数の領域画像とが対応付けられた処理リストを出力することにより、紙葉類の複数の領域の各々に印字された識別情報（すなわち現物の識別情報）と処理リストに含まれる複数の領域画像の各々に含まれる識別情報とを照合することができる。これにより、紙葉類の管理を容易にすることができる。
【００１６】
なお、前記出力部は、前記確認画像を表示する表示部であってもよい。
【００１７】
または、出力部は、前記確認画像を印刷媒体に印刷するプリンタであってもよい。
【００１８】
また、ここに開示する技術は、それぞれ異なる位置にある複数の領域に識別情報が印字された紙葉類を処理する紙葉類処理システムに関し、この紙葉類処理システムは、前記紙葉類を搬送する搬送部と、該搬送部により搬送される紙葉類を撮像して該紙葉類の画像を取得する撮像部とを有する紙葉類処理装置と、前記撮像部により取得された紙葉類の画像から該紙葉類の前記複数の領域をそれぞれ含む複数の領域画像を抽出し、該複数の領域画像が並んで配置された確認画像を生成する制御部と、前記制御部により生成された確認画像を出力する出力部とを備えている。
【００１９】
前記の構成では、紙葉類の複数の領域（識別情報が印字されている領域）をそれぞれ含む複数の領域画像が並んで配置された確認画像を出力することにより、紙葉類の複数の領域にそれぞれ印字されている複数の識別情報を目視で容易に比較させることができる。これにより、識別情報の状態を容易に確認させることができる。
【発明の効果】
【００２０】
以上のように、ここに開示する技術によれば、識別情報の状態を容易に確認させることができる。
【図面の簡単な説明】
【００２１】
【図１】実施形態による紙葉類処理システムの構成を例示する概略図である。
【図２】図１に示した紙葉類処理装置の構成を例示するブロック図である。
【図３】紙幣を例示する図である。
【図４】図１に示したバラ紙幣処理部の構成を例示する概略図である。
【図５】バラ紙幣入金処理における紙葉類処理装置の動作を例示するフローチャートである。
【図６】操作表示部に表示される異番号報知画面を例示する図である。
【図７】図１に示した有価媒体処理部の構成を例示する概略図である。
【図８】有価媒体受付処理における紙葉類処理装置の動作を例示するフローチャートである。
【図９】操作表示部に表示される紙幣確認画面を例示する図である。
【図１０】処理リストを例示する図である。
【発明を実施するための形態】
【００２２】
以下、実施の形態を図面を参照して詳しく説明する。なお、図中同一または相当部分には同一の符号を付しその説明は繰り返さない。
【００２３】
（紙葉類処理システム）
図１は、実施形態による紙葉類処理システム１の構成を例示している。紙葉類処理システム１は、紙葉類処理装置１０と、管理コンピュータ２０とを備えている。例えば、紙葉類処理システム１は、銀行などの金融機関に設けられている。
【００２４】
〔紙葉類処理装置〕
この例では、紙葉類処理装置１０は、出納機を構成している。具体的には、図１および図２に示すように、紙葉類処理装置１０は、バラ紙幣処理部１００と、有価媒体処理部２００と、帯封紙幣処理部３００と、バラ硬貨処理部４００と、包装硬貨処理部５００と、損貨記念貨処理部６００と、貨幣保管部７００と、１つまたは複数（この例では２つ）の操作表示部１１と、１つまたは複数（この例では２つ）のプリンタ１２と、通信部１３と、記憶部１４と、制御部１５とを備えている。
【００２５】
〈バラ紙幣処理部〉
バラ紙幣処理部１００は、バラ紙幣（バラ状態の紙幣）を処理する。例えば、バラ紙幣処理部１００は、バラ紙幣を入金するバラ紙幣入金処理やバラ紙幣を出金するバラ紙幣出金処理などの各種処理を行う。なお、バラ紙幣処理部１００の構成については、後で詳しく説明する。
【００２６】
〈有価媒体処理部〉
有価媒体処理部２００は、有価媒体を処理する。例えば、有価媒体処理部２００は、有価媒体を受け付ける有価媒体受付処理や有価媒体を払い出す有価媒体払出処理などの各種処理を行う。有価媒体処理部２００において処理される有価媒体は、損券、旧券、新券、小切手、手形、商品券などである。これらは、バラ紙幣処理部１００において処理することができない紙葉類である。なお、有価媒体処理部２００の構成については、後で詳しく説明する。
【００２７】
〈帯封紙幣処理部〉
帯封紙幣処理部３００は、帯封紙幣を処理する。例えば、帯封紙幣処理部３００は、帯封紙幣を生成する帯封処理や帯封紙幣を出金する帯封紙幣出金処理などの各種の処理を行う。帯封紙幣は、所定枚数（例えば１００枚）のバラ紙幣が帯封紙により帯封されて構成されている。
【００２８】
〈バラ硬貨処理部〉
バラ硬貨処理部４００は、バラ硬貨（バラ状態の硬貨）を処理する。具体的には、バラ硬貨処理部４００は、バラ硬貨を入金するバラ硬貨入金処理やバラ硬貨を出金するバラ硬貨出金処理などの各種処理を行う。
【００２９】
〈包装硬貨処理部〉
包装硬貨処理部５００は、包装硬貨を処理する。例えば、包装硬貨処理部５００は、包装硬貨を生成する包装処理や包装硬貨を出金する包装硬貨出金処理などの各種処理を行う。包装硬貨は、所定枚数（例えば５０枚）のバラ硬貨が包装されて構成されている。
【００３０】
〈損貨記念貨処理部〉
損貨記念貨処理部６００は、損貨や記念貨などの硬貨（バラ硬貨処理部４００において処理することができない硬貨）を処理する。具体的には、損貨記念貨処理部６００は、損貨や記念貨を受け付ける受付処理などの各種処理を行う。
【００３１】
〈貨幣保管部〉
貨幣保管部７００は、貨幣を保管する。具体的には、貨幣保管部７００は、貨幣保管部７００に設けられたドロアに貨幣を収納（装填）する貨幣収納処理やドロアから貨幣を取り出す貨幣取出処理などの各種処理を行う。
【００３２】
〈操作表示部〉
操作表示部１１は、操作部１１ａと表示部１１ｂとを有している。例えば、操作表示部１１は、タッチパネルによって構成されている。操作部１１ａは、操作者による操作が与えられ、その操作者による操作に応じて情報を入力する。これにより、操作者は、操作部１１ａを操作して紙葉類処理装置１０に各種処理を行わせることができる。すなわち、紙葉類処理装置１０は、操作者による操作に応答して動作する。表示部１１ｂは、情報を表示する。
【００３３】
〈プリンタと通信部〉
プリンタ１２は、情報を印刷媒体（例えばジャーナル）に  印刷する。通信部１３は、制御部１５が外部機器（例えばタブレット端末２やスマートフォン３や管理コンピュータ２０など）との間で有線通信または無線通信を行うために設けられている。
【００３４】
〈記憶部〉
記憶部１４は、情報を記憶する。記憶部１４には、紙葉類処理装置１０における貨幣や有価媒体の処理状況に関する情報や、紙葉類処理装置１０における貨幣や有価媒体の在高に関する情報や、操作表示部１１に表示される操作画面などの画像情報（画像データ）や、紙葉類処理装置１０の動作を制御するための制御情報などが記憶されている。例えば、記憶部１４は、ハードディスクドライブやフラッシュメモリなどの汎用ストレージデバイスによって構成されている。
【００３５】
〈各種センサ〉
また、紙葉類処理装置１０の各部には、貨幣や有価媒体の通過を検知する通過センサなどの各種センサが設けられている。これらの各種センサによる検知結果（検知信号）は、制御部１５に送信される。
【００３６】
〈制御部〉
制御部１５は、紙葉類処理装置１０の各部（この例ではバラ紙幣処理部１００と有価媒体処理部２００と帯封紙幣処理部３００とバラ硬貨処理部４００と包装硬貨処理部５００と損貨記念貨処理部６００と貨幣保管部７００と操作表示部１１とプリンタ１２と通信部１３と記憶部１４）と電気的に接続されて紙葉類処理装置１０の各部との間において信号や情報を伝送可能となっている。また、制御部１５は、通信部１３を経由して外部機器と通信可能となっている。そして、制御部１５は、操作表示部１１に与えられた操作や、紙葉類処理装置１０の各部（各部に設けられた各種センサを含む）および外部機器から送られてきた信号や情報などに基づいて、紙葉類処理装置１０の各部を制御して紙葉類処理装置１０の動作を制御する。例えば、制御部１５は、プロセッサや、プロセッサを動作させるためのプログラムや情報を記憶するメモリなどによって構成されている。
【００３７】
〔管理コンピュータ〕
管理コンピュータ２０は、紙葉類処理システム１の各部（この例では紙葉類処理装置１０）を管理する。この例では、管理コンピュータ２０は、操作部２１と、表示部２２と、通信部２３と、記憶部２４と、制御部２５とを備えている。
【００３８】
〈操作部と表示部と通信部〉
操作部２１は、操作者による操作が与えられ、その操作者による操作に応じて情報を入力する。この例では、操作者は、操作部２１を操作して管理コンピュータ２０に各種処理を行わせることができる。すなわち、管理コンピュータ２０は、操作者による操作に応答して動作する。表示部２２は、情報を表示する。通信部２３は、制御部２５が紙葉類処理装置１０や外部機器（例えばタブレット端末２やスマートフォン３など）との間で有線通信または無線通信を行うために設けられている。
【００３９】
〈記憶部〉
記憶部２４は、情報を記憶する。記憶部２４には、紙葉類処理システム１における貨幣や有価媒体の処理状況に関する情報や、紙葉類処理システム１における貨幣や有価媒体の在高に関する情報や、表示部２２に表示される操作画面などの画像情報（画像データ）や、管理コンピュータ２０の動作を制御するための制御情報などが記憶されている。例えば、記憶部２４は、ハードディスクドライブやフラッシュメモリなどの汎用ストレージデバイスによって構成されている。
【００４０】
〈制御部〉
制御部２５は、管理コンピュータ２０の各部（この例では操作部２１と表示部２２と通信部２３と記憶部２４）と電気的に接続されて管理コンピュータ２０の各部との間において信号や情報を伝送可能となっている。また、制御部２５は、通信部２３を経由して紙葉類処理装置１０や外部機器と通信可能となっている。そして、制御部２５は、操作部２１に与えられた操作や、管理コンピュータ２０の各部および外部機器から送られてきた信号や情報などに基づいて、管理コンピュータ２０の各部を制御して管理コンピュータ２０の動作を制御する。例えば、制御部２５は、プロセッサや、プロセッサを動作させるためのプログラムや情報を記憶するメモリなどによって構成されている。
【００４１】
〔紙幣の説明〕
次に、図３を参照して、紙葉類処理装置１０において処理される紙幣Ｂ（紙葉類の一例）について説明する。以下の説明において、「左右方向」は、紙幣Ｂに描かれた肖像画を基準とする左右方向のことである。また、「上下方向」は、紙幣Ｂに描かれた肖像画を基準とする天地方向のことであり、「上」側は、肖像画の「天」側に対応し、「下」側は、肖像画の「地」側に対応している。また、紙幣Ｂの「表面」は、紙幣Ｂの肖像画が描かれた面のことであり、紙幣Ｂの「裏面」は、紙幣Ｂの肖像画が描かれた面の裏側の面のことである。
【００４２】
図３に示すように、紙幣Ｂには、記番号（識別情報の一例）が複数の領域に印字されている。図３の例では、紙幣Ｂの表面における左上に位置する第１領域ＢＲ１と、紙幣Ｂの表面における右下に位置する第２領域ＢＲ２とに、「TA016197Z」という記番号が印字されている。
【００４３】
通常、１つの紙幣Ｂに対して１つの固有の記番号が割り当てられており、紙幣Ｂの複数の領域（図３の例では第１領域ＢＲ１と第２領域ＢＲ２）には、その紙幣Ｂに固有の記番号が印字されている。すなわち、紙幣Ｂの複数の領域にそれぞれ印字されている複数の記番号は、通常、一致している。なお、紙幣Ｂの複数の領域にそれぞれ印字されている複数の記番号が一致していない場合、その紙幣Ｂは、正常ではない紙幣（異番号券）となる。このような異番号券は、例えば、２枚の紙幣のうち一方の紙幣の一部（例えば左半分）と他方の紙幣の一部（例えば右半分）を貼り合わせることで変造される。
【００４４】
以下では、第１領域ＢＲ１および第２領域ＢＲ２に記番号が印字された紙幣を対象する場合を例に挙げて説明する。
【００４５】
〔バラ紙幣処理部の構成〕
図４は、バラ紙幣処理部１００の構成を例示している。図４に示すように、バラ紙幣処理部１００は、入金部１０１と、入金リジェクト部１０２と、一括一時保留部１０３と、複数（この例では４つ）の金種別一時保留部１０４と、一括紙幣収納部１０５と、複数（この例では４つ）の金種別紙幣収納部１０６（収納部）と、出金部１０７と、出金リジェクト部１０８と、複数（この例では２つ）の整理一時保留部１０９と、バラ紙幣搬送部１１０（搬送部）と、入金識別部１１１と、スイッチバック反転部１１２と、出金識別部１１３と、スパイラル反転部１１４とを備えている。
【００４６】
〈入金部〉
入金部１０１には、投入された紙幣を集積する。入金部１０１には、入金部１０１に集積された紙幣を１枚ずつバラ紙幣搬送部１１０に繰り出す繰出部１０１ａが設けられている。
【００４７】
〈入金リジェクト部〉
入金リジェクト部１０２は、バラ紙幣入金処理において入金識別部１１１により正常ではないと識別された紙幣（入金リジェクト紙幣）を集積する。
【００４８】
〈一時保留部〉
一括一時保留部１０３は、複数の金種の紙幣が混合状態で一時的に保留（収納）する。複数の金種別一時保留部１０４は、それぞれに割り当てられた金種の紙幣を一時的に保留（収納）する。
【００４９】
〈収納部〉
一括紙幣収納部１０５は、一括一時保留部１０３から送られた紙幣を収納する。一括紙幣収納部１０５には、一括紙幣収納部１０５に収納された紙幣を１枚ずつバラ紙幣搬送部１１０に繰り出す繰出部１０５ａが設けられている。複数の金種別紙幣収納部１０６は、複数の金種別一時保留部１０４から送られた紙幣をそれぞれ収納する。金種別紙幣収納部１０６には、金種別紙幣収納部１０６に収納された紙幣を１枚ずつバラ紙幣搬送部１１０に繰り出す繰出部１０６ａが設けられている。
【００５０】
〈出金部と出金リジェクト部と整理一時保留部〉
出金部１０７は、紙幣を払い出す。出金リジェクト部１０８は、バラ紙幣出金処理において出金識別部１１３により正常ではないと識別された紙幣（出金リジェクト紙幣）を集積する。複数の整理一時保留部１０９は、帯封紙幣処理部３００において帯封されるべき紙幣を集積する。
【００５１】
〈バラ紙幣搬送部〉
バラ紙幣搬送部１１０は、バラ紙幣処理部１００内において紙幣を搬送する。この例では、バラ紙幣搬送部１１０は、入金部１０１と入金リジェクト部１０２と一括一時保留部１０３と複数の金種別一時保留部１０４との間において紙幣を搬送する第１バラ紙幣搬送部１１０ａと、一括紙幣収納部１０５と複数の金種別紙幣収納部１０６と出金部１０７と出金リジェクト部１０８と複数の整理一時保留部１０９との間において紙幣を搬送する第２バラ紙幣搬送部１１０ｂと、それぞれが第１バラ紙幣搬送部１１０ａと第２バラ紙幣搬送部１１０ｂとを接続する第３バラ紙幣搬送部１１０ｃおよび第４バラ紙幣搬送部１１０ｄとを有している。
【００５２】
〈入金識別部〉
入金識別部１１１は、第１バラ紙幣搬送部１１０ａに設けられ、入金部１０１の下流側に配置されている。そして、入金識別部１１１は、第１バラ紙幣搬送部１１０ａにより搬送される紙幣に対して識別動作を行う。識別動作では、入金識別部１１１は、紙幣の金種、真偽、正損、新旧、方向（表裏と向き）、搬送状態、紙幣に印字された記番号などを識別する。また、識別動作では、入金識別部１１１は、紙幣の第１領域ＢＲ１に印字された記番号と第２領域ＢＲ２に印字された記番号とが一致しているか否かの識別（以下「記番号一致の識別」と記載）を行う。
【００５３】
具体的には、入金識別部１１１は、撮像部１１１ａを有している。撮像部１１１ａは、バラ紙幣搬送部１１０により搬送される紙幣を撮像して紙幣の画像を取得する。この例では、撮像部１１１ａは、紙幣の両面を撮像して紙幣の表面の画像と紙幣の裏面の画像を取得する。また、入金識別部１１１は、撮像部１１１ａの他に、ラインセンサや磁気センサなどのセンサ類と、撮像部１１１ａにより取得された紙幣の画像やセンサ類の検知結果に基づいて識別動作を行う識別処理部とを有している。この識別処理部には、照合部１１１ｂが含まれている。すなわち、照合部１１１ｂは、識別処理部の機能の一部を構成している。照合部１１１ｂは、紙幣の第１領域ＢＲ１に印字された記番号と第２領域ＢＲ２に印字された記番号とを照合して記番号一致の識別を行う。例えば、照合部１１１ｂは、撮像部１１１ａにより取得された紙幣の画像に対して光学文字認識（ＯＣＲ）を行うことにより紙幣の第１領域ＢＲ１および第２領域ＢＲ２の各々に印字された記番号を読み取り、これらの読み取られた２つの記番号を照合する。そして、入金識別部１１１による紙幣の識別結果（照合部１１１ｂによる記番号の照合結果を含む）と撮像部１１１ａにより取得された紙幣の画像は、制御部１５に送信される。
【００５４】
〈スイッチバック反転部〉
スイッチバック反転部１１２は、第１バラ紙幣搬送部１１０ａに設けられ、入金識別部１１１の下流側であり且つ入金リジェクト部１０２と一括一時保留部１０３と複数の金種別一時保留部１０４の上流側である位置に配置されている。そして、スイッチバック反転部１１２は、第１バラ紙幣搬送部１１０ａにより搬送される紙幣の搬送幅方向（搬送方向と直交する方向）の向きが変わらないように紙幣の表裏を選択的に反転させる。
【００５５】
〈出金識別部〉
出金識別部１１３は、第２バラ紙幣搬送部１１０ｂに設けられ、一括紙幣収納部１０５と複数の金種別紙幣収納部１０６の下流側であり且つ出金部１０７と出金リジェクト部１０８と複数の整理一時保留部１０９の上流側である位置に配置されている。そして、出金識別部１１３は、第２バラ紙幣搬送部１１０ｂにより搬送される紙幣に対して識別動作を行う。識別動作では、出金識別部１１３は、紙幣の金種、真偽、正損、新旧、方向（表裏と向き）、搬送状態、紙幣に印字された記番号などを識別する。
【００５６】
〈スパイラル反転部〉
スパイラル反転部１１４は、第２バラ紙幣搬送部１１０ｂに設けられ、出金識別部１１３の下流側であり且つ出金部１０７と出金リジェクト部１０８と複数の整理一時保留部１０９の上流側である位置に配置されている。そして、スパイラル反転部１１４は、第２バラ紙幣搬送部１１０ｂにより搬送される紙幣の搬送幅方向（搬送方向と直交する方向）の向きが変わるように紙幣の表裏を選択的に反転させる。
【００５７】
〔制御部による確認画像生成動作〕
制御部１５は、紙葉類処理装置１０の各種処理（例えばバラ紙幣入金処理）において、必要に応じて確認画像生成動作を行う。
【００５８】
確認画像生成動作では、制御部１５は、撮像部（例えば入金識別部１１１の撮像部１１１ａ）により取得された紙幣の画像から紙幣の第１領域ＢＲ１を含む第１領域画像Ｐ１０１と第２領域ＢＲ２を含む第２領域画像Ｐ１０２とを抽出する。そして、制御部１５は、第１領域画像Ｐ１０１と第２領域画像Ｐ１０２とが並んで配置された確認画像Ｐ１０（図６参照）を生成する。例えば、確認画像Ｐ１０では、第１領域画像Ｐ１０１と第２領域画像Ｐ１０２とが拡大されて並べられている。出力部（例えば操作表示部１１）は、制御部１５により生成された確認画像Ｐ１０を出力（例えば表示）する。
【００５９】
この例では、確認画像生成動作において、制御部１５は、撮像部（例えば入金識別部１１１の撮像部１１１ａ）により取得された紙幣の画像または紙幣の画像から抽出された第１領域画像Ｐ１０１と第２領域画像Ｐ１０２に対して、第１領域画像Ｐ１０１に含まれる記番号と第２領域画像Ｐ１０２に含まれる記番号との比較（目視による比較）を容易にするための画像処理を行う。例えば、制御部１５は、第１領域画像Ｐ１０１および第２領域画像Ｐ１０２を拡大するための画像処理や、第１領域画像Ｐ１０１および第２領域画像Ｐ１０２の各々に含まれる記番号を鮮明にするための画像処理（例えば二値化処理やエッジ強調処理）や、第１領域画像Ｐ１０１および第２領域画像Ｐ１０２の色合いを視覚弱者が認識しやすい色合いに変更するための画像処理（例えば色調変更処理）などを行う。
【００６０】
〔バラ紙幣入金処理〕
次に、バラ紙幣入金処理について説明する。
【００６１】
バラ紙幣入金処理では、制御部１５は、入金部１０１から繰り出された紙幣が入金識別部１１１において識別されて入金識別部１１１の識別結果に応じて一時保留部（一括一時保留部１０３または金種別一時保留部１０４）または入金リジェクト部１０２に搬送されるように、バラ紙幣処理部１００の動作を制御する。
【００６２】
そして、バラ紙幣入金処理において処理されるべき紙幣の全部（具体的には入金部１０１に投入された紙幣の全部）に対して入金識別部１１１による識別が行われた後に、バラ紙幣処理部１００における紙幣の入金を承認するための操作（承認操作）が操作表示部１１に与えられると、制御部１５は、一時保留部（一括一時保留部１０３または金種別一時保留部１０４）に一時的に保留されている紙幣が収納部（一括紙幣収納部１０５または金種別紙幣収納部１０６）に送られるように、バラ紙幣処理部１００の動作を制御する。
【００６３】
なお、この例では、バラ紙幣入金処理において、制御部１５は、紙幣の第１領域ＢＲ１に印字された記番号と第２領域ＢＲ２に印字された記番号とが一致しないと識別された場合に、入金識別部１１１の撮像部１１１ａにより取得された紙幣の画像に基づいて確認画像生成動作を行う。これにより、確認画像Ｐ１０が生成される。
【００６４】
また、この例では、バラ紙幣入金処理において、操作表示部１１（出力部）は、照合部１１１ｂによる記番号の照合結果を表示（出力）する。具体的には、制御部１５は、照合部１１１ｂによる記番号の照合結果を操作表示部１１に供給し、操作表示部１１は、制御部１５により供給された照合部１１１ｂによる記番号の照合結果を表示する。
【００６５】
この例では、制御部１５は、確認画像Ｐ１０と照合部１１１ｂによる記番号の照合結果とを含む異番号報知画面の画像（紙幣が異番号券に該当することを報知するための画像）を生成する。操作表示部１１は、異番号報知画面の画像を表示する。なお、異番号報知画面については、後で詳しく説明する。
【００６６】
〔バラ紙幣入金処理における紙葉類処理装置の動作〕
次に、図５を参照して、バラ紙幣入金処理における紙葉類処理装置１０の動作について説明する。紙葉類処理装置１０では、バラ紙幣入金処理において入金部１０１から繰り出された紙幣が入金識別部１１１に搬送される毎に、以下の処理が行われる。
【００６７】
〈ステップＳ１０１〉
まず、入金識別部１１１は、入金識別部１１１に搬送されてきた紙幣に対して識別動作を行う。この識別動作では、紙幣の金種、真偽、新旧、方向（表裏と向き）、搬送状態、記番号の識別の他に、第１領域ＢＲ１に印字された記番号と第２領域ＢＲ２に印字された記番号とが一致しているか否かの識別（以下「記番号一致の識別」と記載）が行われる。入金識別部１１１による紙幣の識別結果（照合部１１１ｂによる記番号の照合結果を含む）と撮像部１１１ａにより取得された紙幣の画像は、制御部１５に送信される。
【００６８】
〈ステップＳ１０２〉
次に、制御部１５は、ステップＳ１０１における紙幣の識別結果に基づいて、紙幣が正常であると識別されたか否かを判定する。紙幣が正常であると識別された場合には、ステップＳ１０３へ進み、そうでない場合には、ステップＳ１０４へ進む。
【００６９】
〈ステップＳ１０３〉
紙幣が正常であると識別された場合、制御部１５は、正常であると識別された紙幣が一時保留部（一括一時保留部１０３または金種別一時保留部１０４）に搬送されるように、バラ紙幣処理部１００の動作を制御する。
【００７０】
〈ステップＳ１０４〉
一方、紙幣が正常ではないと識別された場合、制御部１５は、正常ではないと識別された紙幣が入金リジェクト部１０２に搬送されるように、バラ紙幣処理部１００の動作を制御する。
【００７１】
〈ステップＳ１０５〉
次に、制御部１５は、ステップＳ１０１における紙幣の識別結果に基づいて、紙幣が正常ではないと識別された要因が記番号の不一致という要因であるか否かを判定する。紙幣が正常ではないと識別された要因が記番号の不一致という要因である場合には、ステップＳ１０６へ進み、そうでない場合には、ステップＳ１０８へ進む。
【００７２】
〈ステップＳ１０６〉
紙幣が正常ではないと識別された要因が記番号の不一致という要因である場合、制御部１５は、入金識別部１１１の撮像部１１１ａにより取得された紙幣の画像に基づいて確認画像生成動作を行う。これにより、制御部１５において第１領域画像Ｐ１０１および第２領域画像Ｐ１０２が並んで配置された確認画像Ｐ１０が生成され、確認画像Ｐ１０が操作表示部１１に表示される。
【００７３】
この例では、制御部１５は、図６に示す異番号報知画面の画像（紙幣が正常ではないと識別された要因が記番号の不一致という要因であることを報知するための画像）を操作表示部１１に表示させる。この異番号報知画面には、確認画像Ｐ１０と、照合結果表示領域Ｒ１と、確定アイコンＲ１０とが含まれている。
【００７４】
図６の例では、確認画像Ｐ１０において第１領域画像Ｐ１０１と第２領域画像Ｐ１０２とが上下方向に並んで配置されている。具体的には、確認画像Ｐ１０では、第１領域画像Ｐ１０１および第２領域画像Ｐ１０２の各々に含まれる記番号の羅列方向（記番号を構成する複数の数字および文字が並ぶ方向）が予め定められた第１方向（図６の例では左右方向）に沿う方向となり、且つ、第１領域画像Ｐ１０１および第２領域画像Ｐ１０２が並ぶ方向が第１方向と直交する第２方向（図６の例では上下方向）となるように、第１領域画像Ｐ１０１および第２領域画像Ｐ１０２が並んでいる。また、第１領域画像Ｐ１０１に含まれる記番号を構成する複数の数字および文字は、第２方向において第２領域画像Ｐ１０２に含まれる記番号を構成する複数の数字および文字と一対一で対向している。
【００７５】
また、図６の例では、確認画像Ｐ１０には、第１領域画像Ｐ１０１と第２領域画像Ｐ１０２の他に、全体画像Ｐ１００が含まれている。全体画像Ｐ１００は、紙幣の全体（具体的には紙幣の表面の全体）の画像であり、撮像部（この例では入金識別部１１１の撮像部１１１ａ）により取得された紙幣の画像（または紙幣の画像に基づいて生成された画像）である。
【００７６】
また、図６の例において、照合結果表示領域Ｒ１は、照合部１１１ｂによる記番号の照合（紙幣の第１領域ＢＲ１に印字された記番号と第２領域ＢＲ２に印字された記番号との照合）の結果を表示するための領域である。図６の例では、照合結果表示領域Ｒ１には、第１領域ＢＲ１に印字された記番号と第２領域ＢＲ２に印字された記番号とが不一致であることが示されている。
【００７７】
〈ステップＳ１０７〉
次に、制御部１５は、操作表示部１１に表示された異番号報知画面を確認したことを示す操作（画像確認操作）が操作表示部１１に与えられたか否かを判定する。画像確認操作が与えられると、処理を終了する。
【００７８】
この例では、図６に示した異番号報知画面の中から確定アイコンＲ１０を選択するための操作（画像確認操作）が操作表示部１１に与えられると、制御部１５は、操作表示部１１に表示された異番号報知画面が確認されたことを認識する。そして、制御部１５は、操作表示部１１による異番号報知画面の表示を終了させる。
【００７９】
〈ステップＳ１０８〉
一方、入金識別部１１１において紙幣が正常ではないと識別された要因が記番号の不一致という要因ではない場合、制御部１５は、紙幣が正常ではないと識別された要因を報知するための異常報知画面の画像を操作表示部１１に表示させる。そして、操作表示部１１に表示された異常報知画面を確認したことを示す操作が操作表示部１１に与えられると、制御部１５は、操作表示部１１による異常報知画面の表示を終了させる。
【００８０】
〔実施形態による効果〕
以上のように、紙幣の第１領域ＢＲ１および第２領域ＢＲ２をそれぞれ含む第１領域画像Ｐ１０１および第２領域画像Ｐ１０２が並んで配置された確認画像Ｐ１０（この例では第１領域画像Ｐ１０１および第２領域画像Ｐ１０２が拡大されて並べられた確認画像Ｐ１０）を出力することにより、紙幣の第１領域ＢＲ１に印字された記番号と第２領域ＢＲ２に印字された記番号とを目視で容易に比較させることができる。これにより、記番号の状態（例えば記番号が一致するか否かや記番号が不一致となる要因など）を容易に確認させることができる。
【００８１】
また、紙幣の画像に対して画像処理（第１領域画像Ｐ１０１に含まれる記番号と第２領域画像Ｐ１０２に含まれる記番号との比較（目視による比較）を容易にするための画像処理）を行うことにより、紙幣の第１領域ＢＲ１に印字された記番号と第２領域ＢＲ２に印字された記番号との比較（目視による比較）を容易にすることができる。これにより、記番号の状態をさらに容易に確認させることができる。
【００８２】
また、照合部１１１ｂによる記番号の照合結果を出力することにより、紙幣の第１領域ＢＲ１に印字された記番号と第２領域ＢＲ２に印字された記番号とが一致しているか否かを容易に確認させることができる。
【００８３】
なお、制御部１５は、記番号の不一致という要因により紙幣が正常ではないと識別された場合に、その紙幣に関する情報が印刷された印刷媒体（例えばジャーナル）をプリンタ１２に発行させるように構成されていてもよい。この印刷媒体には、発生日時、操作者ＩＤ、金種、券種、リジェクト要因（正常ではないと識別された要因）、左右の記番号（紙幣の第１領域ＢＲ１および第２領域ＢＲ２の各々に印字された記番号）などの情報が印刷される。そして、このような情報が印刷された印刷媒体は、記番号の不一致という要因により正常ではないと識別された紙幣（すなわち現物）とともに管理される。
【００８４】
また、制御部１５は、紙幣の欠損や汚れなどにより、第１領域画像Ｐ１０１（または第２領域画像Ｐ１０２）に含まれる記番号を構成する数字および文字の一部が欠落している場合に、第１領域画像Ｐ１０１（または第２領域画像Ｐ１０２）において記番号の欠落箇所に予め定められた記号（例えばアスタリスク）が埋め込まれるように、第１領域画像Ｐ１０１（または第２領域画像Ｐ１０２）に対して画像処理を行うように構成されていてもよい。または、制御部１５は、第１領域画像Ｐ１０１（または第２領域画像Ｐ１０２）に含まれる記番号を構成する数字および文字の一部が欠落していることを通知するためのメッセージを操作表示部１１に表示させるように構成されていてもよい。
【００８５】
（実施形態の変形例１）
なお、制御部１５は、有価媒体受付処理において確認画像生成動作を行うように構成されていてもよい。以下、この変形例１について詳しく説明する。なお、以下では、説明の便宜上、有価媒体受付処理において処理される有価媒体が紙幣（第１領域ＢＲ１と第２領域ＢＲ２の各々に記番号が印字された紙幣）である場合を例に挙げて説明する。
【００８６】
〔有価媒体処理部の詳細〕
図７は、有価媒体処理部２００の構成を例示している。図７に示すように、有価媒体処理部２００は、投入部２０１と、払出部２０２と、複数（この例では４つ）の新券収納部２０３と、一時保留部２０４と、複数（この例では３つ）の小切手収納部２０５と、複数（この例では２つ）の損券収納部２０６と、搬送部２０７と、撮像部２０８とを有している。
【００８７】
〈投入部〉
投入部２０１には、有価媒体が投入される。この例では、投入部２０１は、筐体３０の前面に設けられ、複数枚の有価媒体を投入することができるように構成されている。また、投入部２０１には、投入部２０１に投入された有価媒体を搬送部２０７に一枚ずつ繰り出す繰出機構２０１ａが設けられている。
【００８８】
〈払出部〉
払出部２０２は、有価媒体を機外に払い出す。この例では、払出部２０２は、筐体３０の前面に設けられ、複数枚の有価媒体を集積することができるように構成されている。また、払出部２０２には、搬送部２０７から払出部２０２に搬送されてきた有価媒体を払出部２０２に一枚ずつ繰り入れる羽根車２０２ａが設けられている。また、払出部２０２には、開閉可能なシャッタが設けられており、このシャッタが開状態となっている場合に、払出部２０２に集積された有価媒体を操作者が取り出すことができるようになっている。
【００８９】
〈新券収納部〉
複数の新券収納部２０３は、それぞれが新券を収納する。この例では、複数の新券収納部２０３は、筐体３０の前部に設けられて上下方向に並んで配置され、それぞれが複数枚の新券を集積することができるように構成されている。また、新券収納部２０３には、新券収納部２０３に収納された新券を搬送部２０７に一枚ずつ繰り出す繰出機構２０３ａが設けられている。
【００９０】
〈一時保留部〉
一時保留部２０４は、有価媒体を一時的に保留（収納）する。この例では、一時保留部２０４は、テープ巻き取り式の収納部によって構成されている。具体的には、一時保留部２０４は、正回転方向および逆回転方向の両方に回転可能なドラム２０４ａを有しており、このドラム２０４ａに一対のテープが巻き取られるようになっている。そして、搬送部２０７から一時保留部２０４に送られた有価媒体は、この一対のテープの間に挟まれた状態で１枚ずつ順番にドラム２０４ａ（正回転方向に回転するドラム２０４ａ）により巻き取られて収納される。また、ドラム２０４ａを逆回転方向に回転させると、巻き取られた有価媒体が搬送部２０７に１枚ずつ繰り出される。
【００９１】
〈小切手収納部〉
複数の小切手収納部２０５は、それぞれが小切手を収納する。この例では、小切手収納部２０５は、スタッカ式の収納部によって構成されている。具体的には、小切手収納部２０５は、複数枚の小切手を集積することができるように構成されている。
【００９２】
〈損券収納部〉
複数の損券収納部２０６は、それぞれが損券を収納する。この例では、２つの損券収納部２０６のうち一方の損券収納部２０６の構成は、小切手収納部２０５の構成（スタッカ式の収納部）と同様となっており、他方の損券収納部２０６の構成は、一時保留部２０４の構成（テープ巻き取り式の収納部）と同様となっている。
【００９３】
〈搬送部〉
搬送部２０７は、有価媒体を搬送する。この例では、搬送部２０７は、投入部２０１と払出部２０２と複数の新券収納部２０３と一時保留部２０４と複数の小切手収納部２０５と複数の損券収納部２０６との間において有価媒体を搬送するように構成されている。例えば、搬送部２０７は、有価媒体を搬送するための搬送ベルトおよび搬送ローラにより構成された搬送路や、搬送ベルトおよび搬送ローラを駆動するための駆動機構や、有価媒体の搬送を案内するためのガイド機構や、有価媒体の搬送方向を切り換えるための分岐爪などによって構成されている。
【００９４】
〈撮像部〉
撮像部２０８は、搬送部２０７に設けられ、投入部２０１の下流側に配置されている。そして、撮像部２０８は、搬送部２０７により搬送される有価媒体を撮像して有価媒体の画像を取得する。この例では、撮像部２０８は、有価媒体の両面を撮像して有価媒体の表面の画像と有価媒体の裏面の画像を取得する。撮像部２０８により取得された有価媒体の画像は、制御部１５に送信される。
【００９５】
〔有価媒体受付処理〕
次に、有価媒体受付処理について説明する。
【００９６】
有価媒体受付処理では、制御部１５は、投入部２０１から繰り出された紙幣が撮像部２０８において撮像されて一時保留部２０４に搬送されるように、有価媒体処理部２００の動作を制御する。また、制御部は、撮像部２０８により取得された紙幣の画像に基づいて簡易識別動作を行う。簡易識別動作では、紙幣の金種や新旧の識別が行われるが、紙幣の汚損や欠損などが原因となって識別できない場合がある。なお、簡易識別動作では、紙幣の記番号一致の識別（紙幣の第１領域ＢＲ１に印字された記番号と第２領域ＢＲ２に印字された記番号とが一致しているか否かの識別）は行われない。操作表示部１１は、撮像部２０８による取得された紙幣の画像と制御部１５による紙幣の簡易識別結果とを表示（出力）する。
【００９７】
また、有価媒体受付処理では、撮像部２０８により撮像された紙幣の識別結果（操作者による紙幣の識別結果）を入力するための操作（入力操作）が操作表示部１１に与えられる。そして、撮像部２０８により撮像された紙幣の識別結果を確定するための操作（確定操作）が操作表示部１１に与えられると、制御部１５は、その紙幣の識別結果とその紙幣の画像とを対応付けて記憶部１６に記憶する。一方、撮像部２０８により撮像された紙幣を返却するための操作（返却操作）が操作表示部１１に与えられると、制御部１５は、一時保留部２０４から繰り出された紙幣（返却すべき紙幣）が払出部２０２に搬送されるように、有価媒体処理部２００の動作を制御する。
【００９８】
そして、有価媒体受付処理において処理されるべき紙幣の全部（具体的には投入部２０１に投入された紙幣の全部）に対して確定操作または返却操作が行われると、制御部１５は、一時保留部２０４に一時的に保留されている紙幣が損券収納部２０６に搬送されるように、有価媒体処理部２００の動作を制御する。
【００９９】
なお、この例では、有価媒体受付処理において、制御部１５は、撮像部２０８により取得された紙幣の画像に基づいて確認画像生成動作を行う。これにより、第１領域画像Ｐ１０１と第２領域画像Ｐ１０２とが並んで配置された確認画像Ｐ１０が生成される。
【０１００】
また、この例では、有価媒体受付処理において、操作表示部１１は、確認画像Ｐ１０の第１領域画像Ｐ１０１に含まれる記番号と第２領域画像Ｐ１０２に含まれる記番号とが一致するか否かを確認することを指示するための情報（照合指示情報）を出力する。具体的には、制御部１５は、照合指示情報を操作表示部１１に供給して照合指示情報を操作表示部１１に表示させる。
【０１０１】
この例では、制御部１５は、確認画像Ｐ１０と制御部１５による紙幣の簡易識別結果と照合指示情報とを含む紙幣確認画面の画像（紙幣を確認させるための画像）を生成する。操作表示部１１は、紙幣確認画面の画像を表示する。なお、紙幣確認画面については、後で詳しく説明する。
【０１０２】
また、この例では、有価媒体受付処理において、制御部１５は、確認画像Ｐ１０の第１領域画像Ｐ１０１に含まれる記番号と第２領域画像Ｐ１０２に含まれる記番号とが一致するか否かの確認が行われたことを示す操作（一致確認操作）が操作表示部１１に与えられた場合に、操作表示部１１（出力部）による画像（確認画像Ｐ１０を含む紙幣確認画面）の出力の終了を許可する。
【０１０３】
〔有価媒体受付処理における紙葉類処理装置の動作〕
次に、図８を参照して、有価媒体受付処理における紙葉類処理装置１０の動作について説明する。紙葉類処理装置１０では、有価媒体受付処理において投入部２０１から繰り出された紙幣が撮像部２０８に搬送される毎に、以下の処理が行われる。
【０１０４】
〈ステップＳ２０１〉
まず、撮像部２０８は、撮像部２０８に搬送されてきた紙幣を撮像して紙幣の画像を取得する。撮像部２０８により取得された紙幣の画像は、制御部１５に送信される。なお、撮像部２０８により撮像された紙幣は、一時保留部２０４に搬送される。
【０１０５】
〈ステップＳ２０２〉
次に、制御部１５は、ステップＳ２０１において撮像部２０８により取得された紙幣の画像に基づいて簡易識別動作を行う。簡易識別動作では、紙幣の金種や新旧の識別が行われる。
【０１０６】
〈ステップＳ２０３〉
また、制御部１５は、ステップＳ２０１において撮像部２０８により取得された紙幣の画像に基づいて確認画像生成動作を行う。これにより、制御部１５において第１領域画像Ｐ１０１および第２領域画像Ｐ１０２が並んで配置された確認画像Ｐ１０が生成され、確認画像Ｐ１０が操作表示部１１に表示される。この例では、確認画像Ｐ１０において第１領域画像Ｐ１０１および第２領域画像Ｐ１０２が拡大されて並べられている。また、第１領域画像Ｐ１０１に含まれる記番号と第２領域画像Ｐ１０２に含まれる記番号との比較（目視による比較）を容易にするための画像処理が必要に応じて行われてもよい。
【０１０７】
この例では、制御部１５は、図９に示す紙幣確認画面の画像（紙幣を確認させるための画像）を操作表示部１１に表示させる。この紙幣確認画面には、確認画像Ｐ１０と、金種指定領域Ｒ２と、券種指定領域Ｒ３と、照合指示領域Ｒ４と、確定アイコンＲ１０と、返却アイコンＲ２０とが含まれている。
【０１０８】
図９の例では、図６の例と同様に、確認画像Ｐ１０において第１領域画像Ｐ１０１と第２領域画像Ｐ１０２とが上下方向に並んで配置されており、記番号の一致／不一致を確認しやすくなっている。さらに、確認画像Ｐ１０には、第１領域画像Ｐ１０１と第２領域画像Ｐ１０２の他に、全体画像Ｐ１００が含まれている。
【０１０９】
また、図９の例において、金種指定領域Ｒ２は、紙幣の金種を指定するための領域である。図９の例では、金種指定領域Ｒ２には、４つの金種（「１万円」と「５千円」と「２千円」と「千円」）にそれぞれ対応する４つのチェックボックスが設けられている。この４つのチェックボックスの中から１つのチェックボックスを指定するための操作（すなわち操作者により識別された紙幣の金種を指定するための操作）が操作表示部１１に与えられると、そのチェックボックスに対応する金種が指定される。また、図９の例では、制御部１５の簡易識別動作において紙幣の金種が「１万円」であると識別されており、金種指定領域Ｒ２に設けられた４つのチェックボックスのうち「１万円」に対応するチェックボックスが予め指定されている。すなわち、金種指定領域Ｒ２には、制御部１５による紙幣の簡易識別結果の一部が含まれている。なお、制御部１５の簡易識別動作において紙幣の金種を識別することができない場合は、４つのチェックボックスの全部が空欄（選択されていない状態）となる。
【０１１０】
また、図９の例において、券種指定領域Ｒ３は、紙幣の券種を指定するための領域である。図９の例では、券種指定領域Ｒ３には、２つの券種（「Ｃ券」と「Ｄ券」）にそれぞれ対応する２つのチェックボックスが設けられている。この２つのチェックボックスの中から１つのチェックボックスを指定するための操作（すなわち操作者により識別された紙幣の券種を指定するための操作）が操作表示部１１に与えられると、そのチェックボックスに対応する券種が指定される。なお、Ｃ券およびＤ券は、紙幣の発行時期に基づいて割り当てられる券種のことである。また、図９の例では、制御部１５の簡易識別動作において紙幣の券種（新旧）が「Ｃ券」であると識別されており、券種指定領域Ｒ３に設けられた４つのチェックボックスのうち「Ｃ券」に対応するチェックボックスが予め指定されている。すなわち、券種指定領域Ｒ３には、制御部１５による紙幣の簡易識別結果の一部が含まれている。なお、制御部１５の簡易識別動作において紙幣の券種（新旧）を識別することができない場合は、２つのチェックボックスの全部が空欄（選択されていない状態）となる。
【０１１１】
また、図９の例において、照合指示領域Ｒ４は、第１領域画像Ｐ１０１に含まれる記番号と第２領域画像Ｐ１０２に含まれる記番号とが一致するか否かの確認（以下「記番号の一致の確認」と記載）を行うことを指示するための領域である。照合指示領域Ｒ４には、記番号の一致の確認が行われた場合に選択されるチェックボックスが設けられている。このチェックボックスを選択するための操作（すなわち記番号の一致の確認が行われたことを示す操作）が操作表示部１１に与えられると、制御部１５は、操作表示部１１による画像（紙幣確認画面）の表示の終了を許可する。
【０１１２】
〈ステップＳ２０４〉
次に、制御部１５は、操作表示部１１により表示された紙幣（すなわちステップＳ２０１において撮像部２０８により撮像された紙幣）の識別結果を確定させるための操作（確定操作）が操作表示部１１に与えられた否かを判定する。確定操作が操作表示部１１に与えられている場合には、ステップＳ２０５へ進み、そうでない場合には、ステップＳ２０７へ進む。この例では、図９に示した紙幣確認画面の中から確定アイコンＲ１０を選択するための操作（確定操作）が与えられると、ステップＳ２０５へ進む。
【０１１３】
〈ステップＳ２０５〉
次に、制御部１５は、確定操作が操作表示部１１に与えられる前に、記番号の一致の確認が行われたことを示す操作（一致確認操作）が操作表示部１１に与えられているか否かを判定する。確定操作が操作表示部１１に与えられる前に一致確認操作が操作表示部１１に与えられている場合、制御部１５は、操作表示部１１に表示された紙幣確認画面における紙幣の識別結果（例えば金種と券種）と紙幣の画像（例えば全体画像Ｐ１００）とを対応付けて記憶部１６に記憶する。そして、制御部１５は、操作表示部１１による画像（紙幣確認画面）の表示を終了させる。一方、確定操作が操作表示部１１に与えられる前に一致確認操作が操作表示部１１に与えられていない場合には、ステップＳ２０６へ進む。
【０１１４】
〈ステップＳ２０６〉
確定操作が操作表示部１１に与えられる前に一致確認操作が操作表示部１１に与えられていない場合、制御部１５は、一致確認操作が操作表示部１１に与えられていないことを報知するための情報を出力する。例えば、制御部１５は、一致確認操作を操作表示部１１に与えることを指示するための画像を操作表示部１１に表示させる。次に、ステップＳ２０３へ進む。
【０１１５】
〈ステップＳ２０７〉
また、ステップＳ２０４において確定操作が操作表示部１１に与えられていないと判定された場合、制御部１５は、ステップＳ２０１において撮像部２０８により撮像された紙幣を返却するための操作（返却操作）が操作表示部１１に与えられているか否かを判定する。返却操作が操作表示部１１に与えられている場合には、ステップＳ２０８へ進み、そうでない場合には、ステップＳ２０４へ進む。この例では、図９に示した紙幣確認画面の中から返却アイコンＲ２０を選択するための操作（返却操作）が与えられると、ステップＳ２０８へ進む。例えば、２つの記番号が一致しない場合は、紙幣（現物）を確認する必要があるため、紙幣の返却が指示される。
【０１１６】
〈ステップＳ２０８〉
返却操作が操作表示部１１に与えられている場合、制御部１５は、一時保留部２０４に一時的に保留されている紙幣が払出部２０２に搬送されるように、有価媒体処理部２００の動作を制御する。
【０１１７】
〔実施形態の変形例１による効果〕
以上のように、紙幣の第１領域ＢＲ１および第２領域ＢＲ２をそれぞれ含む第１領域画像Ｐ１０１および第２領域画像Ｐ１０２が並んで配置された確認画像Ｐ１０（この例では第１領域画像Ｐ１０１および第２領域画像Ｐ１０２が拡大されて並べられた確認画像Ｐ１０）を出力することにより、紙幣の第１領域ＢＲ１に印字された記番号と第２領域ＢＲ２に印字された記番号とを目視で容易に比較させることができる。これにより、記番号の状態（例えば記番号が一致するか否かや記番号が不一致となる要因など）を容易に確認させることができる。
【０１１８】
また、紙幣の画像に対して画像処理（第１領域画像Ｐ１０１に含まれる記番号と第２領域画像Ｐ１０２に含まれる記番号との比較（目視による比較）を容易にするための画像処理）を行うことにより、紙幣の第１領域ＢＲ１に印字された記番号と第２領域ＢＲ２に印字された記番号との比較（目視による比較）を容易にすることができる。これにより、記番号の状態をさらに容易に確認させることができる。
【０１１９】
また、記番号の一致の確認（第１領域画像Ｐ１０１に含まれる記番号と第２領域画像Ｐ１０２に含まれる記番号とが一致するか否かの確認）が行われたことを示す操作が操作表示部１１に与えられた場合に、操作表示部１１による確認画像Ｐ１０の表示（出力）の終了を許可することにより、記番号の一致の確認が行われたことを条件として、操作表示部１１による確認画像Ｐ１０の表示の終了させることができる。これにより、記番号の一致の確認を実施し忘れることを防止することができる。
【０１２０】
（実施形態の変形例２）
また、制御部１５は、紙葉類処理装置１０において行われる各種処理（例えばバラ紙幣入金処理や有価媒体受付処理など）が完了すると、紙葉類処理装置１０における紙幣の処理の結果を示す処理リストを出力するように構成されていてもよい。処理リストには、紙幣に関する情報と第１領域画像Ｐ１０１および第２領域画像Ｐ１０２とが対応付けられて登録されている。例えば、制御部１５は、処理リストを操作表示部１１に出力して処理リストを操作表示部１１に表示させる。または、制御部１５は、処理リストをプリンタ１２に出力して処理リストが印刷された印刷媒体をプリンタ１２に発行させる。
【０１２１】
この例では、制御部１５は、有価媒体受付処理が完了すると、図１０に示す処理リストを出力する。この処理リストは、有価媒体受付処理において受け付けられた紙幣に関する情報が登録された処理リストである。この処理リストでは、処理日と処理時刻と担当者と券種と金種と第１領域画像Ｐ１０１と第２領域画像Ｐ１０２とが対応付けられて登録されている。例えば、図１０に示された処理リストの第１段目は、「2018年05月01日」の「12:31」に担当者「太郎」による操作に応じて紙葉類処理装置１０において有価媒体受付処理が行われ、その有価媒体受付処理において受け付けられた紙幣の券種が「Ｅ券」であり且つ金種が「１万円」であることを示しており、この第１段目には、この紙幣の画像（撮像部２０８により取得された紙幣の画像）から抽出された第１領域画像Ｐ１０１と第２領域画像Ｐ１０２とが登録されている。
【０１２２】
〔実施形態の変形例２による効果〕
以上のように、紙幣に関する情報と第１領域画像Ｐ１０１および第２領域画像Ｐ１０２とが対応付けられた処理リストを出力することにより、紙幣の第１領域ＢＲ１および第２領域ＢＲ２の各々に印字された記番号（すなわち現物の記番号）と処理リストに含まれる第１領域画像Ｐ１０１および第２領域画像Ｐ１０２の各々に含まれる記番号とを照合することができる。これにより、紙幣の管理を容易にすることができる。
【０１２３】
例えば、処理リストは、紙葉類処理装置１０から回収された紙幣を別の場所へ移動させる場合に、証拠として現物（紙葉類処理装置１０から回収された紙幣）とともに管理することにより、処理リストを用いて現物を確認することができる。
【０１２４】
また、処理リストを保存管理しておくことにより、処理リストに基づいて紙幣の追跡調査を行うことができる。例えば、有価媒体処理部２００に収納された損券のように偽造券や変造券である可能性がある紙幣の追跡調査を行うことができる。
【０１２５】
なお、処理リストには、第１領域画像Ｐ１０１および第２領域画像Ｐ１０２の他に、全体画像Ｐ１００（紙幣の全体の画像）が含まれていてもよい。
【０１２６】
また、処理リストに登録される項目（紙幣の情報に関する項目）は、任意に増減することができるようになっていてもよい。これにより、データ容量などの目的に応じて処理リストに登録される項目を最適化することができる。
【０１２７】
（その他の実施形態）
なお、以上の説明では、確認画像Ｐ１０において第１領域画像Ｐ１０１と第２領域画像Ｐ１０２とが上下方向に並んで配置されている場合を例に挙げたが、これに限らず、確認画像Ｐ１０において第１領域画像Ｐ１０１と第２領域画像Ｐ１０２とが左右方向に並んで配置されていてもよい。
【０１２８】
また、以上の説明では、確認画像Ｐ１０に全体画像Ｐ１００（紙幣の表面の画像）が含まれている場合を例に挙げたが、確認画像Ｐ１０には、全体画像Ｐ１００に加えて、紙幣の裏面の画像が含まれていてもよい。
【０１２９】
また、以上の説明では、確認画像Ｐ１０を含む異番号報知画面の画像が操作表示部１１に表示される場合を例に挙げたが、これに限らず、異番号報知画面の画像は、管理コンピュータ２０やタブレット端末２やスマートフォン３などの外部機器に表示されてもよい。例えば、制御部１５は、異番号報知画面の画像を管理コンピュータ２０に送信するように構成されていてもよい。そして、管理コンピュータ２０の制御部２５は、制御部１５から送信された異番号報知画面の画像を管理コンピュータ２０の表示部２２に表示させるように構成されていてもよい。このような構成により、確認画像Ｐ１０を含む異番号報知画面の画像を管理コンピュータ２０やタブレット端末２やスマートフォン３などの外部機器の操作者（例えば出納係や上位者などの管理者）に確認させることができる。すなわち、確認画像Ｐ１０を表示する表示部は、紙葉類処理装置１０の操作表示部１１（具体的には表示部１１ｂ）であってもよいし、管理コンピュータ２０の表示部２２であってもよいし、タブレット端末２やスマートフォン３などの表示部であってもよい。
【０１３０】
また、以上の説明では、確認画像Ｐ１０を含む異番号報知画面の画像が操作表示部１１（具体的には表示部１１ｂ）に表示される場合を例に挙げたが、確認画像Ｐ１０を含む異番号報知画面の画像は、プリンタ１２により印刷媒体に印刷されてもよい。すなわち、確認画像Ｐ１０を出力する出力部は、確認画像Ｐ１０を表示する表示部（具体的には紙葉類処理装置１０の操作表示部１１や管理コンピュータ２０の表示部２２やタブレット端末２やスマートフォン３などの表示部など）であってもよいし、確認画像Ｐ１０を印刷媒体に印刷するプリンタ（具体的にはプリンタ１２）であってもよい。
【０１３１】
また、以上の説明では、２つの領域（第１領域ＢＲ１および第２領域ＢＲ２）に記番号が印字された紙幣を対象とする場合を例に挙げたが、紙幣ではない他の紙葉類（例えば小切手や手形や商品券など）を対象としてもよい。すなわち、２つ以上の領域に識別情報が印字された紙葉類を対象としてもよい。
【０１３２】
また、以上の説明では、紙葉類処理装置１０が出納機を構成している場合を例に挙げたが、これに限らず、紙葉類処理装置１０は、オートキャッシャやロビー入金機や紙幣釣銭機などを構成するものであってもよい。なお、紙葉類処理装置１０が紙幣釣銭機を構成している場合は、確認画像Ｐ１０を含む異番号報知画面の画像がＰＯＳ端末の表示部（図示を省略）に表示されるようになっていてもよい。
【０１３３】
また、以上の実施形態および変形例を適宜組み合わせて実施してもよい。以上の実施形態および変形例は、本質的に好ましい例示であって、ここに開示する技術、その適用物、あるいはその用途の範囲を制限することを意図するものではない。
【産業上の利用可能性】
【０１３４】
以上説明したように、ここに開示する技術は、紙葉類処理装置や紙葉類処理システムとして有用である。
【符号の説明】
【０１３５】
１          紙葉類処理システム
１０        紙葉類処理装置
１００      バラ紙幣処理部
２００      有価媒体処理部
３００      帯封紙幣処理部
４００      バラ硬貨処理部
５００      包装硬貨処理部
６００      損貨記念貨処理部
７００      貨幣保管部
１１        操作表示部（出力部）
１１ａ      操作部
１１ｂ      表示部
１２        プリンタ（出力部）
１３        通信部
１４        記憶部
１５        制御部
１０１      入金部
１０２      入金リジェクト部
１０３      一括一時保留部
１０４      金種別一時保留部
１０５      一括紙幣収納部
１０６      金種別紙幣収納部
１０７      出金部
１０８      出金リジェクト部
１０９      整理一時保留部
１１０      バラ紙幣搬送部（搬送部）
１１１      入金識別部
１１２      スイッチバック反転部
１１３      出金識別部
１１４      スパイラル反転部
２０１      投入部
２０２      払出部
２０３      新券収納部
２０４      一時保留部
２０５      小切手収納部
２０６      損券収納部
２０７      搬送部
２０８      撮像部
２０        管理コンピュータ
２１        操作部
２２        表示部
２３        通信部
２４        記憶部
２５        制御部
Ｂ          紙幣（紙葉類）
ＢＲ１      第１領域
ＢＲ２      第２領域
Ｐ１０      確認画像
Ｐ１０１    第１領域画像
Ｐ１０２    第２領域画像
【図１】
2019204381.tif 000003
【図２】
2019204381.tif 000004
【図３】
2019204381.tif 000005
【図４】
2019204381.tif 000006
【図５】
2019204381.tif 000007
【図６】
2019204381.tif 000008
【図７】
2019204381.tif 000009
【図８】
2019204381.tif 000010
【図９】
2019204381.tif 000011
【図１０】
2019204381.tif 000012